(57)【要約】  本発明は、短針（４）と長針（６）及び圧力センサ（４２）を備える機械的又は電気機械的潜水時計であって、深度インジケータ針（１４）と深度変動インジケータ針（２２）をさらに備え、前記深度インジケータ針（１４）が、ダイバーが潜水しているとき、位置している深度の瞬間値の表示をタイバーに提供し、前記深度変動インジケータ針（２２）が、その瞬間にゼロにロックされ、次に前記深度インジケータ針（１４）が、前記ダイバーが必要とされる減圧停止に到達したときロックされ、かつ前記深度変動インジケータ針（２２）が、減圧停止深度に対する前記ダイバーの深度のあらゆる変動も前記ダイバーに示すために解放され、前記深度変動インジケータ針（２２）がその後、ゼロに戻されてロックされる一方、前記深度インジケータ針（１４）が解放されて、前記ダイバーが水面に向かって前記ダイバーの上昇を再開するとき、実際の潜水深度を再び表示することを特徴とする、潜水時計に関する。
2009534674.tif 000002
【特許請求の範囲】
【請求項１】
短針（４）と長針（６）を備え、かつ圧力センサ（４２）を備える機械的又は電気機械的潜水時計であって、深度インジケータ針（１４）と深度変動インジケータ針（２２）をさらに備え、前記深度インジケータ針（１４）が、ダイバーが潜水しているとき、位置している深度の瞬間値の表示をダイバーに提供し、前記深度変動インジケータ針（２２）がその瞬間にゼロにロックされ、次に前記ダイバーが必要とされる減圧停止に到達したとき、前記深度インジケータ針（１４）がロックされ、かつ前記深度変動インジケータ針（２２）が、減圧停止深度に対する前記ダイバーの深度のいかなる変動も前記ダイバーに示すために解放され、前記深度変動インジケータ針（２２）がその後、ゼロに戻されてロックされる一方、前記深度インジケータ針（１４）が解放されて、前記ダイバーが水面に向かって前記ダイバーの上昇を再開するとき、実際の潜水深度を再び表示することを特徴とする潜水時計。
【請求項２】
前記深度インジケータ針（１４）と前記深度変動インジケータ針（２２）が、単一の押ボタン（３０）の押圧により交互にロックされ、次に解放されることを特徴とする請求項１に記載の潜水時計。
【請求項３】
前記押ボタン（３０）の活動化が、タイマ・カウンタを停止し開始させることを特徴とする請求項２に記載の潜水時計。
【請求項４】
潜水中、前記圧力センサ（４２）が、差動歯車機構（４６）の入力歯車（４８）の回転を生じさせ、前記深度変動インジケータ針（２２）を担持している深度変動歯車群（７４）によって形成された前記差動歯車機構（４６）の第１の出力がロックされ、それによって、前記深度インジケータ針（１４）を担持している深度インジケータ歯車群（７８）によって形成された前記差動歯車機構（４６）の第２の出力が回転する一方、減圧停止中、前記深度インジケータ歯車群（７８）がロックされ、前記深度変動歯車群（７４）が自由に回転し、前記ダイバーが減圧停止を終了して水面への上昇を再開したときに、前記深度変動歯車群（７４）が再びロックされ、前記深度インジケータ歯車群（７８）が再び自由に回転することを特徴とする請求項１から３のいずれかに記載の潜水時計。
【請求項５】
前記深度変動歯車群（７４）が、軸（８４）上で自由に回転するようにそれ自体装着され、その一方の端部で、前記深度変動インジケータ針（２２）が堅固に装着された、軸（８２）上に堅固に装着された中心部片（８０）を備え、前記中心部片（８０）を、保持手段（８６）によってロック又は解放することができ、かつ前記深度インジケータ歯車群（７８）が、前記軸（８４）に堅固に装着された深度インジケータ歯車（９０）と前記歯車（９０）をロックするための手段（９２）とを備え、前記深度インジケータ針（１４）が前記軸（８４）の一方の端部に堅固に装着されていることを特徴とする請求項４に記載の潜水時計。
【請求項６】
前記保持手段（８６）が、復針レバーを備えること、及び前記ロッキング手段（９２）が、クランプを備えることを特徴とする請求項５に記載の潜水時計。
【請求項７】
前記差動入力歯車（４８）が、差動軸（５０）上で自由に回転するように装着され遊星歯車群（６０）を担持し、前記遊星歯車群（６０）が、一方では前記差動軸（５０）上に自由に装着されたピニオン（６４）と噛合し、さらには前記深度変動歯車群（７４）と噛合する遊星歯車群（６０）を担持し、前記差動軸（５０）に固定された差動出力車（７６）が前記深度インジケータ歯車群（７８）と噛合していることを特徴とする請求項４から６のいずれかに記載の潜水時計。
【発明の詳細な説明】
【技術分野】
【０００１】
本発明は、ダイバーが所定の深度で減圧停止を行うときに、深度の変動を測定することを可能にする潜水時計に関する。
【背景技術】
【０００２】
ダイバーは、ダイビングを行うとき、自分の安全を確実にするために様々なパラメータを知らなければならない。特に、ダイバーは、事前に決められた最大潜水深度を超えるという危険性を回避するために、自分がどの深度にいるのかを瞬時に知ることが可能でなければならない。ダイバーはまた、自分の酸素リザーバを使い果たすことを回避するために、及び全く安全に水面まで戻ることができるように、自分の潜水時間を知らなければならない。ダイバーの瞬間深度と潜水時間に関連する情報をダイバーに与える時計は、すでに知られている。
【発明の開示】
【発明が解決しようとする課題】
【０００３】
しかし、出願人の知る限りでは、市販されている潜水時計によって考慮されていない、追加のパラメータがある。このパラメータは、ダイバーが減圧停止を行うときの、ダイバーの深度の安定性に結びついている。実際、周囲圧力の増加と潜水の継続時間の増加に比例して、ダイバーが呼吸する空気中に含まれる窒素を、体が、特に血流内に吸収することは知られている。ダイバーがオープン・エアに戻る前に体によってこの窒素が除去されることは絶対必要である。窒素が除去されない場合、ダイバーは死にさえも至る深刻な危険のリスクを負う。窒素を除去するという問題は、水面への極めて遅い上昇速度を守るように、特に、ある深度で減圧を停止するようにダイバーに要求することによって解決される。これらの減圧停止中、周囲圧力と血圧の間に存在する差が、窒素を血液中に溶け込ませ体外へ通過させる。このようにして、これらの減圧停止を守ることによって、ダイバーは、自分の血液中に溶解された窒素を徐々に除去することに成功する。しかし、窒素は、ダイバーが行っている減圧停止で安定した深度を維持することに成功した場合にもっと効率的に除去される。したがって、ダイバーが減圧停止を行っているときに深度変動をダイバーに示すことができる時計に対して、当技術分野での必要性が存在している。
【課題を解決するための手段】
【０００４】
短針と長針を備える機械的又は電気機械的な潜水時計であって、この時計が、深度インジケータ針及び深度変動インジケータ針をさらに備え、深度インジケータ針が、ダイバーが潜水しているときのダイバーの深度の瞬間表示をダイバーに提供し、深度変動インジケータ針が、その瞬間にゼロにロックされ、次に深度インジケータ針が、ダイバーが行わなければならない減圧停止に到達したときロックされ、かつ深度変動インジケータ針が、減圧停止深度に対するいかなる深度変動もダイバーに示すために解放され、深度変動インジケータがその後、ゼロに戻されてロックされる一方、深度インジケータ針が解放されて、ダイバーが上昇を再開するとき、実際の潜水深度を再び表示することを特徴とする、潜水時計を提供することによって、この要求に応えることが、本発明の目的である。
【０００５】
これらの特徴によると、本発明は、ダイバーに、彼が行わなければならない減圧停止の深度に対応する所望の値に対する彼の深度の変動に関する読取値を供給する潜水時計を提供する。ダイバーが、深度変動インジケータ針がゼロ値の両側で振動しているのを見るとき、ダイバーは、したがって、自分が留意する必要がある減圧停止の深度レベルに対して実際に上昇しているか下降していることが一目でわかり、そのとき、ダイバーは、必要とされる深度での安定性を達成するために、上へ又は下へ移動することができる。そうすることによって、ダイバーにとって、減圧停止を最適な状態で行ってから、上昇を再開することが確実にでき、このことはダイバーの安全性をかなり改善する。
【０００６】
本発明の相補的な特徴によると、潜水中、圧力センサが、差動歯車機構の入力歯車の回転を生じさせ、深度変動インジケータ針を担持している深度変動歯車群によって形成された差動歯車機構の第１の出力がロックされ、それによって、深度インジケータ針を担持している深度歯車群によって形成された差動歯車機構の第２の出力が回転する一方、減圧停止中、深度歯車群がロックされて、深度変動歯車群が自由に回転し、ダイバーが減圧停止を終了して水面への上昇を再開するとき、深度変動歯車群が再びロックされ、深度歯車群が再び自由に回転する。
【０００７】
これらの他の特徴によると、本発明は、高い信頼性で動作する単純かつ頑丈な差動歯車機構が取り付けられた潜水時計を提供する。
【０００８】
本発明の他の特徴及び利点が、本発明による潜水時計の実施形態についての以下の詳細な説明からより明らかになるであろう。この例は、添付の図面を参照にして、限定されない例としてのみ与えられる。
【発明を実施するための最良の形態】
【０００９】
本発明は、ダイバーが行っている減圧停止のために必要とされる深度で自分が安定しているかどうかをダイバーに一目で見られるようにし、必要に応じて、必要とされる深度へ戻るためにダイバーが再び上昇又は下降することを可能にする深度変動インジケータ・デバイスを潜水時計に取り付けることにある、一般的な発明概念に由来している。それゆえ、ダイバーが減圧停止の深度を守ることが可能であれなあるほど、減圧停止、したがってダイバーの体からの窒素の除去が、より効果的になる。したがって、本発明による潜水時計は、ダイバーの安全性をかなり増加させることができる。
【００１０】
図１は、本発明による潜水時計の文字板の平面図である。全体を通じて符号１によって全体として示されているこの主文字板は、時及び分の記号２をその外周に有する。短針４、長針６、秒針８で形成された１組の針が、文字板１の中央に配置され、従来の方式で文字板上を移動する。文字板１はその上に深度の目盛り１２が添付されたベゼル１０によって包囲されている。図に示した例では、目盛りは、５メートル刻みで付けられている。その役割が以下で詳細に説明される深度インジケータ針１４が、ダイバーの現在の深度の瞬間読取値をダイバーに与えるために、深度目盛り１２と協働する。不可欠でない付属品として、本発明による潜水時計は、深度インジケータ針１４によって駆動され、かつダイバーの潜水中にダイバーが到達した最大深度を示す、針１６をさらに備える。
【００１１】
メートル単位で刻まれた、ゼロを中心とする深度変動目盛り２０を担持している小さい寸法の文字板１８が、主文字板１上に配置されている。その役割が以下で詳細に説明される深度変動インジケータ針２２が、ダイバーが行わなければならない減圧停止のために必要とされる深度レベルに対する深度のあらゆる変動をダイバーに表示するために、深度変動目盛り２０と協働する。深度変動をダイバーに表示するために、第１の解決法は、たとえば−３メートルと＋３メートルの間で目盛りを刻むことにあり、負の深度値は、ダイバーが減圧停止深度より下にいることを意味し、一方正の値はダイバーに減圧停止深度よりも上にいることを告げる。図に示した別の変形形態によると、深度変動目盛り２０が、時計回りの方向に読むと、「３」から「０」の間、及び「０」から「３」の間に延びている。これは、針２２が指している目盛り２０上の数字の読取値によって与えられる値によって減圧停止レベルよりも下又は上にあることをダイバーに知らせる、それぞれ下及び上を指している２つの矢印２４Ａ及び２４Ｂによって完全なものとなる。
【００１２】
５分カウンタ２８の数字がそれを通過する開口２６が主文字板１上に配置されている。
【００１３】
最後に、本発明による潜水時計は、その役割が以下で詳細に説明される押ボタン３０を備える。
【００１４】
短針４、長針６、秒針８、深度インジケータ針１４、最大潜水深度を示す針１６、深度変動インジケータ針２２によって形成される針の組が、文字板１の中心に同軸に装着されていることに留意されたい。
【００１５】
図１では、本発明による潜水時計の文字板１が、以下の情報を提供する。ダイバーは３分間５メートルの減圧深度にあり、潜水中に到達した最大潜水深度は１９メートル、及び減圧深度からの偏差はゼロである。
【００１６】
図２Ａは、使用前、すなわちオープン・エア中での本発明による潜水時計のケースの断面図である。本質的に、全体を通じて符号３２によって全体として示されているこの時計ケースは、上述のベゼル１０を備えており、ベゼルはクリスタル３４を担持しており、その下に文字板１がある距離で広がっている。この部品の組は、中央部品３６に固定されている。背面カバー３８が、中間部品４０に螺合され、中間部品はそれ自体、中央部品３６に密封した方式で螺合されている。さらに、この中間部品４０は、圧力センサ４２を担持している。圧力センサ４２は、圧力の影響下で機械的に変形することが可能であるセンサである。これは、たとえば図２Ａに示すような膜センサ、又はブルドン管センサであってよい。
【００１７】
背面カバー３８は、水がそれを通り、圧力センサ４２と接触することができる複数の開口３８’を有する。しかし、時計がオープン・エア中にあるとき、たとえば背面カバー３８上にスナップ接合された保護容器４４を用いてセンサ４２を保護することが好ましい。
【００１８】
図２Ｂは、前記時計がオンに切り替えられる前の、すなわちオープン・エア中での本発明による潜水時計に取り付けられた差動歯車機構の断面図である。全体を通じて符号４６によって全体的に示されているこの差動歯車機構は、圧力センサ４２が、水と接触している前記センサ４２の側と、本発明による潜水時計のケース３２内に封入された空気と接触している前記センサ４２の側との間の圧力差の影響下で変形したとき、圧力センサ４２によって回転駆動される差動入力歯車４８を本質的に備える。図２Ｂの場合、時計は、オープン・エア中にある。したがって、圧力は、圧力センサ４２の両側で同一であり、そのため圧力センサ４２は静止しており、したがって、差動入力歯車４８を回転駆動させない。この状況では、深度インジケータ針１４は深度目盛り１２の「０」を指し、深度変動インジケータ針２２は深度変動目盛り２０の中央に配置される。
【００１９】
差動入力歯車４８が、肩部５６を介してムーブメントのブリッジ５４上に軸方向に当接して保持されている段差付きブシュ５２を介して差動軸５０上に、自由に回転するように装着されている。差動入力歯車４８内へ駆動される軸５８は、遊星歯車群６０を担持しており、その歯車６２は差動軸５０上で駆動されるピニオン６４と噛合し、そのピニオン６６は、差動軸５０上で自由に回転するように装着された歯車７０及びピニオン７２で形成された中間歯車群６８と噛合する。ピニオン７２は、その構造が以下で詳細に説明される深度変動歯車群７４とさらに噛合する。
【００２０】
最後に、差動機構４６は、差動軸５０と一体である、又は差動軸５０上で駆動されることが可能であり、その構造が以下で詳細に説明される深度インジケータ歯車群７８と噛合する差動出力歯車７６を備える。
【００２１】
ダイバーが潜水している間の本発明による時計の状態を示す図３Ａ、３Ｂをここで参照する。図３Ａでは、水が潜水時計ケース３２の背面カバー３８内に作製された開口３８’を通ることができるように、保護容器４４が取り外されていることに留意されたい。この時、圧力センサ４２の両側の圧力は平衡しておらず、したがってセンサが機械的に変形する。変形している間、圧力センサ４２は、差動機構４６の入力歯車４８を回転駆動させ、入力歯車が、差動軸５０の周りで回転を始める。回転しながら、差動入力歯車４８がそれと共に、遊星歯車群６０を担持している軸５８を駆動する。ダイバーが、潜水を行っている間、深度変動歯車群７４がロックされる。実際には、深度変動歯車群７４は、軸８４上で自由に回転するように装着され、かつその一方の端部に深度変動インジケータ針２２が駆動される軸８２上で駆動される中心部片８０で構成されている。潜水のこの段階では、中心部片８０が、復針レバー８６などの保持手段によって不動に保持されるため、軸８２がロックされる。しかし、深度変動歯車群７４もまた、軸８２上で駆動され、中間歯車群６８のピニオン７２と噛合する深度変動歯車８８を備える。このようにして、軸８２がロックされるため、深度変動歯車８８もまたロックされる。ピニオン７２と歯車７０も同様である。したがって、遊星車６２が、差動軸５０とピニオン６４を介して、差動出力歯車７６を回転駆動させる。さらに、差動出力歯車７６が、軸８４上で駆動される深度インジケータ歯車９０及びクランプなどの歯車９０をロックするための手段９２で形成される深度インジケータ歯車群７８を回転駆動する。これらのロッキング手段９２は、深度インジケータ歯車９０をロックすることができる。しかし、図３Ｂに示した状況では、この歯車９０は、差動出力歯車７６によって駆動されるとき、軸８４を、したがって深度インジケータ針１４を駆動するように、自由に回転する。この針１４はしたがって対向する深度目盛り１２を動かして、ダイバーに、彼が位置している深度の値を瞬時に与える。この時間中、深度変動インジケータ針２２は不動のままであり、深度変動目盛り２０上の中央にある。
【００２２】
図４Ａ、４Ｂを参照して、ダイバーが減圧停止を行わなければならない場合を次に調べる。ダイバーは、上昇を始め、深度インジケータ針１４が、ダイバーが行わなければならない減圧レベルの深度に到達したことをダイバーに告げたとき、上向きの運動を中断する。その深度に到達すると、ダイバーは、押ボタン３０を押圧する。この圧力の影響下で、復針レバー８６が中心部片８０から外れ、一方クランプ９２が深度インジケータ歯車９０を固定するように移動する。したがって、深度インジケータ針１４が、深度目盛り１２に対して不動に保持される一方、深度変動インジケータ針２２が、深度変動目盛り１２の中心の両側でダイバーの深度の変動に応じて振動する。実際は、ダイバーが減圧停止深度の上にいるか下にいるかに応じて、圧力センサ４２が、機械的に変形し、差動入力歯車４８を回転駆動させる。深度インジケータ歯車３０がロックされるため、差動出力歯車７６、差動軸５０、ピニオン６４もまたロックされる。したがって、遊星ピニオン６６が、中間歯車６８を介して深度変動歯車８８を駆動する。復針レバー８６が、もはや中心部片８０を、したがって中心部片８０がその上で駆動される軸８２をロックしないため、この歯車８８は自由に回転し、したがって深度変動インジケータ針２２が回転することができる。
【００２３】
ダイバーが減圧停止を完了したとき、ダイバーは水面へ向かう上昇を再開することができる。そのとき、ダイバーは、押ボタン３０を再び押圧する。その圧力の影響の下で、クランプ９２が、深度インジケータ歯車９０から再び遠ざかり、再び深度インジケータ針１４を回転させる一方、復針レバー８６が、中心部片８０、したがって深度変動インジケータ針２２を再びロックする。復針レバー８６が中心部片８０内へ落ちると、前記針２２が、深度変動インジケータ目盛り２０を担持している文字板１８の中央に、それ自体を再配置することを可能にする。それと同時に差動入力歯車の回転４８の回転が、遊星歯車６２、ピニオン６４、差動出力歯車７６を介して、深度インジケータ歯車９０に伝達され、前記深度インジケータ歯車が正確な潜水深度に再調整される。
【００２４】
言うまでもなく、本発明は、ここで説明された実施形態に限定されず、様々な簡単な変更及び変形が、本特許出願に添付される特許請求の範囲によって定義されるような本発明の範囲を逸脱することなく、当業者に明らかになるであろう。特に、５分カウンタ２８上でのスイッチ切替が、ダイバーが減圧停止を始める瞬間の押ボタン３０の動作を伴うことがわかるであろう。さらに、押ボタン３０上でダイバーによって中央部片８０及びクランプ９２に及ぼされる圧力の伝達は、当業者に公知であり、したがってここではさらなる説明は必要とされない、レバー及び／又は中間歯車を介して従来の方式で行われる。
【図面の簡単な説明】
【００２５】
【図１】深度インジケータ針及び深度変動インジケータ針を示す、本発明による潜水時計の文字板の平面図である。
【図２】潜水時計がオンに切り替えられる前の、すなわち、オープン・エア中での図１に示した時計ケースの断面図（Ａ）と、潜水時計がオンに切り替えられる前の、すなわち、オープン・エア中での本発明による潜水時計に取り付けられた差動歯車機構の断面図（Ｂ）である。
【図３】ダイバーが潜水を行っている途中での、それぞれ図２Ａ及び２Ｂと同様の断面図である。
【図４】ダイバーが減圧停止を行っている途中での、それぞれ図３Ａ及び３Ｂと同様の断面図である。
【図１】
2009534674.tif 000003
【図２Ａ】
2009534674.tif 000004
【図２Ｂ】
2009534674.tif 000005
【図３Ａ】
2009534674.tif 000006
【図３Ｂ】
2009534674.tif 000007
【図４Ａ】
2009534674.tif 000008
【図４Ｂ】
2009534674.tif 000009
【国際調査報告】
2009534674.tif 000010
2009534674.tif 000011
2009534674.tif 000012
2009534674.tif 000013
2009534674.tif 000014